Podtech/llm-jp-corpus-v4-ja_patent huggingface dataset:
【手続補正書】
【提出日】平成26年7月28日(2014.7.28)
【手続補正１】
【補正対象書類名】特許請求の範囲
【補正対象項目名】全文
【補正方法】変更
【補正の内容】
【特許請求の範囲】
【請求項１】
胃腸管（ＧＩＴ）の領域において症状を示す炎症性腸疾患（ＩＢＤ）ヒト患者の処置のための抗原性組成物であって、前記抗原性組成物が、少なくとも１の病原体について一緒に特異的である抗原決定基を含み、前記病原体が前記ＧＩＴの領域において病原性であることに基づいて前記病原体が選択され、
前記領域が小腸領域であり、かつ、前記病原体が大腸菌、クロストリジウム・ディフィシル、バクテロイデス・フラギリス、バクテロイデス・ブルガタス、バクテロイデス・テタイオタオミクロン、クロストリジウム・パーフリンジェンス、サルモネラ・エンテリディティス、エルシニア・エンテロコリチカ、シゲラ・フレキシネリ、アデノウイルス、アストロウイルス、カリシウイルス、ノロウイルス、ロタウイルス及びサイトメガロウイルスからなる群から選択される；
前記領域が結腸若しくは直腸領域であり、かつ、前記病原体が大腸菌、クロストリジウム・ディフィシル、バクテロイデス・フラギリス、バクテロイデス・ブルガタス、バクテロイデス・テタイオタオミクロン、クロストリジウム・パーフリンジェンス、サルモネラ・エンテリディティス、エルシニア・エンテロコリチカ、シゲラ・フレキシネリ、アデノウイルス、アストロウイルス、カリシウイルス、ノロウイルス、ロタウイルス及びサイトメガロウイルスからなる群から選択される；
前記領域が肛門領域であり、かつ、前記病原体が大腸菌、ストレプトコッカス・ピオゲネス、バクテロイデス種、フソバクテリウム種、嫌気性連鎖球菌、クロストリジウム種、エンテロバクター種、シュードモナス・エルギノサ、トレポネマ・パリダム及び単純ヘルペスウイルスからなる群から選択される；
前記領域が口腔領域であり、かつ、前記病原体がプレボテラ・メラニノゲニカス、嫌気性連鎖球菌、緑色連鎖球菌、アクチノミセス種、ペプトストレプトコッカス種、バクテロイデス種、単純ヘルペスウイルス、コクサッキーウイルス及びエプスタイン・バーウイルスからなる群から選択される；又は
前記領域が胃領域であり、かつ、前記病原体がストレプトコッカス・ピオゲネス、ヘリコバクター・ピロリ、サイトメガロウイルス、単純ヘルペスウイルス、エプスタイン・バーウイルス、ロタウイルス、ノロウイルス及びアデノウイルスからなる群から選択される、
前記抗原性組成物。
【請求項２】
ＩＢＤが、クローン病、潰瘍性大腸炎、コラーゲン形成大腸炎、リンパ球性大腸炎、虚血性大腸炎、空置大腸炎、ベーチェット症候群及び不確定大腸炎からなる群から選択される、請求項１に記載の抗原性組成物。
【請求項３】
投与部位にて、１時間から１ヶ月の投薬間隔で与えられる逐次的な用量で、少なくとも２週間、２カ月、又は６カ月の投薬持続期間にわたって投与される、請求項１又は２に記載の抗原性組成物。
【請求項４】
各用量が投与部位にて目視可能な局所的炎症性免疫応答を引き起こすために効果的である用量で投与される、請求項１〜３のいずれかに記載の抗原性組成物。
【請求項５】
皮内又は皮下投与される、請求項１〜４のいずれかに記載の抗原性組成物。
【請求項６】
腸内でない経路により投与される、請求項１〜４のいずれかに記載の抗原性組成物。
【請求項７】
投与部位での目視可能な局所的炎症が１〜４８時間以内に生じるように投与される、請求項１〜６のいずれかに記載の抗原性組成物。
【請求項８】
目視可能な局所的炎症が、直径２ｍｍ〜１００ｍｍの面積の炎症であり、投与の２〜４８時間後に現れてよく、２〜７２時間持続してよい、請求項７に記載の抗原性組成物。
【請求項９】
ヒト患者に、有効量の抗炎症又は免疫抑制医薬品がさらに投与される、請求項１〜８のいずれかに記載の抗原性組成物。
【請求項１０】
医薬品が、スルファサラジン、メサラミン、コルチコステロイド、アザチオプリン、メルカプトプリン、インフリキシマブ、アダリムマブ、セルトリズマブぺゴール、メトトレキセート、シクロスポリン又はナタリズマブである、請求項９に記載の抗原性組成物。
【請求項１１】
ＧＩＴの領域においてそれぞれ病原性である１又は２以上の病原体の抗原決定基から本質的になる、請求項１〜１０のいずれかに記載の抗原性組成物。
【請求項１２】
ヒト患者が、以前に病原体に対して病原的曝露を受けたことがあると診断される、請求項１〜１１のいずれかに記載の抗原性組成物。
【請求項１３】
病原体が細菌であり、抗原性組成物が死滅細菌細胞全体の組成物である、請求項１〜１２のいずれかに記載の抗原性組成物。
【請求項１４】
ＩＢＤがクローン病であり、病原体が大腸菌である、請求項１〜１３のいずれかに記載の抗原性組成物。
【請求項１５】
病原体が大腸菌である、請求項１〜１３のいずれかに記載の抗原性組成物。
【手続補正書】
【提出日】平成26年7月11日(2014.7.11)
【手続補正１】
【補正対象書類名】特許請求の範囲
【補正対象項目名】全文
【補正方法】変更
【補正の内容】
【特許請求の範囲】
【請求項１】
ロミデプシンの結晶形態C。
【請求項２】
ロミデプシンの結晶形態D。
【請求項３】
ロミデプシンの結晶形態E。
【請求項４】
ロミデプシンの結晶形態F。
【請求項５】
ロミデプシンの結晶形態H。
【請求項６】
ロミデプシンの結晶形態I。
【請求項７】
ロミデプシンの結晶形態J。
【請求項８】
ロミデプシンの結晶形態K。
【請求項９】
ロミデプシンの結晶形態L。
【請求項１０】
ロミデプシンの結晶形態N。
【請求項１１】
ロミデプシンの非晶質形態。
【請求項１２】
請求項1記載のロミデプシンの結晶形態Cを含有する、医薬組成物。
【請求項１３】
請求項2記載のロミデプシンの結晶形態Dを含有する、医薬組成物。
【請求項１４】
請求項3記載のロミデプシンの結晶形態Eを含有する、医薬組成物。
【請求項１５】
請求項4記載のロミデプシンの結晶形態Fを含有する、医薬組成物。
【請求項１６】
請求項5記載のロミデプシンの結晶形態Hを含有する、医薬組成物。
【請求項１７】
請求項6記載のロミデプシンの結晶形態Iを含有する、医薬組成物。
【請求項１８】
請求項7記載のロミデプシンの結晶形態Jを含有する、医薬組成物。
【請求項１９】
請求項8記載のロミデプシンの結晶形態Kを含有する、医薬組成物。
【請求項２０】
請求項9記載のロミデプシンの結晶形態Lを含有する、医薬組成物。
【請求項２１】
請求項10記載のロミデプシンの結晶形態Nを含有する、医薬組成物。
【請求項２２】
血液疾患の治療用医薬の製造のための、請求項1〜11のいずれか一項記載のロミデプシンの使用。
【請求項２３】
血液疾患の治療用医薬の製造のための、請求項12〜21のいずれか一項記載の医薬組成物の使用。
【請求項２４】
前記血液疾患が、末梢T細胞リンパ腫(PTCL)又は皮膚T細胞リンパ腫(CTCL)である、請求項22又は23記載の使用。
【手続補正２】
【補正対象書類名】明細書
【補正対象項目名】０２１９
【補正方法】変更
【補正の内容】
【０２１９】
本明細書に記載のように、化合物Iの結晶形態Iは、以下に図5(a)から5(y)に提供された(及び実施例7で考察された)例証的データの一部又は全てにより特性評価される。一実施態様において、化合物I形態Iについて得られたDSCサーモグラムは、〜74℃(最小)で広幅の吸熱事象を；〜100℃(最小)で吸熱を；及び、〜256.4℃(最小)で吸熱を示す(10℃/分、C)。別の実施態様において、化合物I形態Iについて得られたDSCサーモグラムは、〜88℃(最小)で広幅の吸熱事象を；〜113℃(最小)で吸熱事象を；及び、〜256℃(最小)で吸熱(10℃/分、C)を示す。一実施態様において、化合物I形態Iについて得られたTGAサーモグラムは、〜33％の重量損失を示す。別の実施態様において、化合物I形態Iについて得られたTGAサーモグラムは、〜27％の重量損失を示す。一実施態様において、下記の条件下で得られた化合物Iの形態IについてのPanalytical社X-Pert Pro MPD PW3040データが提供される：X線管：Cu(1.54059Å)、電圧：45kV；アンペア数40mA；走査範囲：1.00〜39.99°2θ；ステップサイズ：0.017°2θ；収集時間：718秒；走査速度：3.3°/分；スリット：DS：1/2°；SS：ゼロ；回転時間：1.0秒、モード：透過。一実施態様において、下記の条件下で得られた化合物I形態Iについてのデータが提供される：検出器：DTGS KBr；走査回数：512；分解能：2cm-1。
【手続補正書】
【提出日】平成26年6月9日(2014.6.9)
【手続補正１】
【補正対象書類名】特許請求の範囲
【補正対象項目名】全文
【補正方法】変更
【補正の内容】
【特許請求の範囲】
【請求項１】
下記を含んでなる、局所用組成物：
・組成物の総重量に対して、０．１重量％以上の濃度のヒアルロン酸、
・少なくとも１種類の皮膚瘢痕形成剤、
・場合により、少なくとも１種類の植物抽出物、および
・少なくとも１種類の溶媒。
【請求項２】
防腐剤を含まないことを特徴とする、請求項１に記載の組成物。
【請求項３】
第四級アンモニウム、水銀防腐剤、アルコール防腐剤、カルボン酸、フェノール、および／またはアミジンから選択される防腐剤を含まないことを特徴とする、請求項１または２に記載の組成物。
【請求項４】
高分子量ヒアルロン酸および低分子量ヒアルロン酸を、特に１，０００〜１の重量比率で含むことを特徴とする、請求項１〜３のいずれか一項に記載の組成物。
【請求項５】
高分子量ヒアルロン酸だけを含むことを特徴とする、請求項１〜３のいずれか一項に記載の組成物。
【請求項６】
高分子量ヒアルロン酸の濃度が０．１重量％以上であることを特徴とする、請求項１〜５のいずれか一項に記載の組成物。
【請求項７】
少なくとも１種類の植物抽出物を含むことを特徴とする、請求項１〜６のいずれか一項に記載の組成物。
【請求項８】
前記植物抽出物が、ハゴロモグサ、セイヨウキズタ、トクサ、甘草、キュウリ、アルニカ、イチョウ、エキナシア、ブドウ種子、アボカド、カモミール、ツボクサ、キンセンカ、アルニカ・モンタナ、ホップ、ローズマリー、ゼニアオイ、ツルニチニチソウ、オレンジ花、緑茶、アロエベラの抽出物およびそれらの混合物から、特に、ツボクサ、キンセンカ、アルニカ・モンタナの抽出物およびそれらの混合物から選択されることを特徴とする、請求項７に記載の組成物。
【請求項９】
請求項１〜８のいずれか一項に記載の組成物を含むユニットであって、該組成物が密閉包装により包装されている、ユニット。
【請求項１０】
ヒアルロン酸を含んでなる、汚染除去されたおよび／または無菌の組成物を、密閉包装により調製するための方法であって、下記工程を含む、方法：
ａ）包装品目を滅菌する工程、
ｂ）溶媒を精製する工程、
ｃ）少なくとも１種類の植物抽出物を含める場合には、該植物抽出物を汚染除去する工程、
ｄ）該組成物の成分を少なくとも１種類の溶媒に混ぜ入れる工程、
ｅ）無菌のおよび／または汚染制御された環境下で該組成物を密閉包装により包装する工程、
ｆ）その密閉包装に入った該組成物を、炉で６０〜９５℃の範囲の温度で、少なくとも１時間の少なくとも１期間加熱し、その後、室温に冷却する工程、
ｇ）工程ｆ）を少なくとも１回、とりわけ、少なくとも翌日、または翌２日間、または翌３日間繰り返す工程、並びに
ｈ）汚染除去されたおよび／または無菌の該組成物を含む密閉包装を再被覆する工程。
【請求項１１】
眼瞼縁用または顔用洗浄剤、皮膚保護剤および／または水和剤として用いるための、非治療化粧料用の請求項１〜８のいずれか一項に記載の局所用組成物。
【請求項１２】
眼瞼炎に罹患している患者の病的眼瞼の鱗屑および痂皮を除去するための薬剤、および／または目の乾燥を予防および／または治療するための薬剤として用いるための、非治療化粧料用の請求項１〜８のいずれか一項に記載の局所用組成物。
【請求項１３】
荒れた手の保護を目的とする薬剤として用いるための、非治療化粧料用の請求項１〜８のいずれか一項に記載の局所用組成物。
【請求項１４】
非常に乾いた、荒れた口唇の保護を目的とする薬剤として用いるための、非治療化粧料用の請求項１〜８のいずれか一項に記載の局所用組成物。
【請求項１５】
とりわけ、病的状態または薬物、機械的および／または化学的処理により、損傷を受けたまたは刺激を受けた皮膚の水和および保護を目的とする薬剤として用いるための、非治療化粧料用の請求項１〜８のいずれか一項に記載の局所用組成物。
【請求項１６】
炎症発現の後に眼瞼を保護、水和および／または鎮静化することを目的とする薬剤として用いるための、非治療化粧料用の請求項１〜８のいずれか一項に記載の局所用組成物。
【請求項１７】
瘢痕形成薬として、とりわけ、手術、外反、または病変の後に瘢痕形成薬として、目の乾燥を予防および／または治療するための薬剤として、および／または抗炎症剤として用いられる、請求項１〜８のいずれか一項に記載の組成物。
【手続補正書】
【提出日】平成26年7月25日(2014.7.25)
【手続補正１】
【補正対象書類名】明細書
【補正対象項目名】００９４
【補正方法】変更
【補正の内容】
【００９４】
本明細書に記載したヘテロアリール基は、別途記載がなければ、起こり得る位置にて、例えば、あらゆる置換可能な環の炭素または環の窒素原子にて、その所定の置換基または親分子基により置換されてもよい。同様に、化学的に好適ならば、任意のヘテロアリール基に対して、あらゆる好適な原子を介して分子の残余部と結合できると理解される。別途記載がなければ、本明細書中に記載の不充分な原子価を有するヘテロアリール環の任意のヘテロ原子は、原子価を充足させるために水素原子を有すると考えられる。特に断りがない限り、四級化が可能なアミノ−またはイミノ型の環窒素原子（−N＝）を含む環は、好ましくは言及された置換基または親分子基により、それらのアミノ−またはイミノ型の環窒素原子上で四級化されていなくともよい。
【手続補正２】
【補正対象書類名】明細書
【補正対象項目名】０１１７
【補正方法】変更
【補正の内容】
【０１１７】
本発明の化合物は、その構造によって、異なる立体異性形態で存在することができる。これらの形態には、立体配置異性体または所望により立体配座異性体(それらのアトロプ異性体を含むエナンチオマーおよび／またはジアステレオ異性体)が含まれる。それ故に、本発明は、エナンチオマー、ジアステレオ異性体ならびにその混合物を包含する。エナンチオマーおよび／またはジアステレオ異性体のそれらの混合物から、純粋な立体異性体形態を、当分野では既知の方法、好ましくはクロマトグラフィーの方法、特にアキラルまたはキラル相を用いる高速液体クロマトグラフィー(HPLC)を用いて単離できる。本発明はさらに、比率に関係なく、上記立体異性体のすべての混合物（ラセミ体を含む）を包含する。
【手続補正３】
【補正対象書類名】明細書
【補正対象項目名】０１４０
【補正方法】変更
【補正の内容】
【０１４０】
本発明における化学増感および類似する用語は、当業者に公知の意味で使用される。これらの刺激には、細胞死受容体および生存経路のエフェクター、細胞毒性/化学療法剤および標的化剤、ならびに最後に放射線療法が含まれる。アポトーシスの誘導および類似する用語は、その化合物と、または治療のために通常使用される他の化合物とを組合せて、接触した細胞におけるプログラムされた細胞死を実行する化合物を同定するために使用される。
【手続補正４】
【補正対象書類名】明細書
【補正対象項目名】０１６３
【補正方法】変更
【補正の内容】
【０１６３】
本発明は、固形および血液学的腫瘍を処置するための方法をさらに包含する。ここで、固形腫瘍は、乳房、膀胱、骨、脳、中枢および末梢神経系、結腸、内分泌腺（例えば、甲状腺および副腎皮質）、食道、子宮内膜、胚細胞、頭部および首部、腎臓、肝臓、肺、喉頭および下咽頭、中皮腫、卵巣、膵臓、前立腺、直腸、腎、小腸、軟組織、精巣、胃、皮膚、尿管、膣および外陰部の腫瘍により例示され得る。悪性腫瘍形成は、網膜胚種細胞腫およびWilms腫瘍により例示される遺伝性癌を包含する。さらに、悪性腫瘍形成には、前記器官における一次腫瘍および遠位の器官における対応する二次腫瘍（「腫瘍転移」）を包含する。血液学的腫瘍は、侵攻性かつ緩慢性の白血病およびリンパ腫、すなわち非−ホジキン病、慢性および急性骨髄性白血病（CML/AML）、急性リンパ芽球性白血病（ALL）、ホジキン病、多発性硬化症およびT−細胞リンパ腫により例示され得る。また、骨髄異形成症候群、血漿細胞腫瘍、腫瘍随伴症、および原発部位不明の癌、ならびにAIDS関連の悪性腫瘍もまた包含される。
【手続補正５】
【補正対象書類名】明細書
【補正対象項目名】０２６４
【補正方法】変更
【補正の内容】
【０２６４】
反応を、EDTA水溶液（100mMのEDTA、50mMのHEPES/NaOH中、0.1％（w/v）ウシ血清アルブミン、pH7.5）中、HTRF検出試薬（200nMのストレプトアビジンXL665[Cisbio]および1.5nMの抗−ホスホ−セリン抗体[Millipore、カタログ番号35−001]および0.75nMのLANCE Eu-W 1024標識された抗−マウスIgG抗体[Perkin Elmer]）の溶液5μlの添加により停止した。得られる混合物を22℃で１時間インキュベートして、ストレプトアビジンXL665および抗体にビオチン化リン酸化ペプチドを結合させた。続いて、リン酸化された基質の量を、抗−マウス−IgG−Eu−キレートからストレプトアビジンXL665への共鳴エネルギー移行の測定により評価した。すなわち、350nmでの励起の後の620nmおよび665nmでの蛍光放出を、HTRFリーダー、例えばRubystar (BMG Labtechnologies, Offenburg, Germany) またはViewlux (Perkin-Elmer)により測定した。665nmおよび622nmでの発光比を、リン酸化された基質の量についての尺度とした。データを正規化した（阻害剤を伴わない酵素反応＝0％阻害率、酵素を除くすべての他のアッセイ成分＝100％阻害率）。通常、試験化合物を、同じマイクロタイタープレート上で、20μM〜1nMの範囲での10の異なった濃度（一連の1：3希釈度により100倍濃度の原液のレベルでアッセイ前に調製された一連の希釈度、20 μM、6.7 μM、2.2 μM、0.74 μM、0.25 μM、82 nM、27 nM、9.2 nM、3.1 nM および1 nM）で、個々の濃度について二重測定で試験して、IC50値を社内ソフトウェアを用いて４パラメーター適合により計算した。
【手続補正６】
【補正対象書類名】明細書
【補正対象項目名】０２７１
【補正方法】変更
【補正の内容】
【０２７１】
細胞アッセイ3.0:p-AKT1/2/3-S473、-T308、およびp-4E-BP1-T70アッセイ
分子の作用機構を、一組の実験おいて試験し、応答性細胞系、例えばKPL4 乳房腫瘍細胞系(PIK3CAH1047R、HER2O/Eおよびホルモン非依存的)においてPI3K-AKT-mTOR 経路の阻害を評価した。PI3K-AKT-mTOR軸のリン酸基質を、読取り値として使用して、経路阻害を評価した。細胞を、96ウェル細胞培養プレート中で、60-80% コンフルエンシー/ウェルにて播種した。37℃で5% CO2において終夜インキュベーションした後、細胞を、37℃で2時間の間化合物およびビヒクルを用いて処理した。その後、細胞を、分解緩衝液(150μl)中で溶解させて、T308およびS473部位でのリン酸化-AKTおよびT70部位でのp-4E-BP1のレベルを、この対応するAlphaScreen(登録商標) SureFire(登録商標) アッセイキット(Perkin Elmer:4E-BP1 Assay Kit Cat # TRG4E2S10K; Akt 1/2/3 p-Ser 473 #TGRA4S500 および Akt 1/2/3 p-Thr 308#TGRA3S500 ならびに IgG 検出キット#6760617M)を用いて、マニュアルに記載したとおりに決定した。全ての測定を少なくとも2回行い、独立した反復により確認した。
【手続補正書】
【提出日】平成26年7月24日(2014.7.24)
【手続補正１】
【補正対象書類名】特許請求の範囲
【補正対象項目名】全文
【補正方法】変更
【補正の内容】
【特許請求の範囲】
【請求項１】
ＦＳＨ液体製剤の安定化のための薬剤的に許容されるアルカリ金属カチオンを含む塩の使用であって、塩が、薬剤的に許容されるＮａ+塩およびＫ+塩、またはそれらの組合せからなる群から選択される使用。
【請求項２】
塩がＮａ+塩である、請求項１に記載の使用。
【請求項３】
塩がＮａＣｌまたはＮａ2ＳＯ4である、請求項１または２に記載の使用。
【請求項４】
塩が塩化ナトリウムである、請求項１または２に記載の使用。
【請求項５】
塩がＮａＣｌとＮａ2ＳＯ4の組合せである、請求項１または２に記載の使用。
【請求項６】
塩が、２０〜５００ｍＭの量、または３０〜３００ｍＭの量、または５０〜２００ｍＭの量で含まれる、請求項１から５のいずれか一項に記載の使用。
【請求項７】
ＦＳＨ製剤がｒＦＳＨ製剤である、請求項１から６のいずれか一項に記載の使用。
【請求項８】
製剤が、保存剤をさらに含む、請求項１から７のいずれか一項に記載の使用。
【請求項９】
製剤が、ベンジルアルコール、フェノールおよび／またはｍ−クレゾールを含む、請求項８に記載の使用。
【請求項１０】
製剤が注射用製剤である、請求項１から９のいずれか一項に記載の使用。
【請求項１１】
ＦＳＨ液体製剤を安定化させるための組成物であって、薬剤的に許容されるＮａ+塩およびＫ+塩並びにそれらの組合せからなる群から選択される薬剤的に許容されるアルカリ金属カチオンを含んでなる組成物。
【請求項１２】
塩がＮａ+塩である、請求項１１に記載の組成物。
【請求項１３】
塩がＮａＣｌまたはＮａ2ＳＯ4である、請求項１１または１２に記載の組成物。
【請求項１４】
塩が塩化ナトリウムである、請求項１１または１２に記載の組成物。
【請求項１５】
塩がＮａＣｌとＮａ2ＳＯ4の組合せである、請求項１１または１２に記載の組成物。
【請求項１６】
塩が、２０〜５００ｍＭの量、または３０〜３００ｍＭの量、または５０〜２００ｍＭの量で含まれる、請求項１１から１５のいずれか一項に記載の組成物。
【請求項１７】
ＦＳＨ製剤がｒＦＳＨ製剤である、請求項１１から１６のいずれか一項に記載の組成物。
【請求項１８】
製剤が、保存剤をさらに含む、請求項１１から１７のいずれか一項に記載の組成物。
【請求項１９】
製剤が、ベンジルアルコール、フェノールおよび／またはｍ−クレゾールを含む、請求項１８に記載の組成物。
【請求項２０】
製剤が注射用製剤である、請求項１１から１９のいずれか一項に記載の組成物。
【請求項２１】
ＦＳＨ液体製剤の安定化方法であって、薬剤的に許容されるアルカリ金属カチオンを含む塩を前記製剤に添加するステップを含み、前記塩が薬剤的に許容されるＮａ+塩および
Ｋ+塩、またはそれらの組合せからなる群から選択される方法。
【請求項２２】
塩が、請求項２から６のいずれか一項に記載の塩である、請求項２１に記載の方法。
【請求項２３】
安定化させるＦＳＨがｒＦＳＨである、請求項２１または２２に記載の方法。
【請求項２４】
製剤が、保存剤をさらに含む、請求項２１から２３のいずれか一項に記載の方法。
【請求項２５】
保存剤が、ベンジルアルコール、フェノールおよびｍ−クレゾールからなる群から選択される、請求項２４に記載の方法。
【手続補正書】
【提出日】平成26年6月24日(2014.6.24)
【手続補正１】
【補正対象書類名】特許請求の範囲
【補正対象項目名】全文
【補正方法】変更
【補正の内容】
【特許請求の範囲】
【請求項１】
バルク層（３）およびバッファ層（４）を有し、前記バッファ層（４）が、前記バッファ層（４）の表面（５）上に１つの同じ方向に配向された多数のナノワイヤー（２）を成長させるために前記バルク層（３）上に配置され、前記バッファ層（４）が、２μｍ未満の厚さを有することを特徴とする基板（１）。
【請求項２】
前記バッファ層（４）が、０．２〜２μｍの厚さを有することを特徴とする請求項１に記載の基板（１）。
【請求項３】
前記バッファ層（４）が、複数の副層（４ａ、４ｂ、４ｃ）を含むことを特徴とする請求項１または２に記載の基板（１）。
【請求項４】
前記バッファ層（４）もしくは前記副層（４ａ、４ｂ、４ｃ）の１つまたは複数が、窒化物をベースとしたＩＩＩ−Ｖ半導体材料などの半導体材料、金属もしくは金属合金、絶縁体、グラフェン、または、ＴｉＮで構成されていることを特徴とする請求項１から３のいずれか１項に記載の基板（１）。
【請求項５】
前記バッファ層（４）および前記副層の１つまたは複数が、それぞれ、ＬＰＣＶＤ、ＡＰＣＶＤ、ＰＥＣＶＤ、ＡＬＤ、ＰＶＤ、ＭＯＶＰＥまたはＨＶＰＥのグループから選択される堆積技術を使用して堆積されていることを特徴とする請求項１から４のいずれか１項に記載の基板（１）。
【請求項６】
前記バッファ層（４）もしくは前記副層（４ａ、４ｂ、４ｃ）の１つまたは複数が放射光用のリフレクタとして機能し、または、前記基板が、複数の副層によって形成される複数の積層されたブラッグリフレクタを備え、各ブラッグリフレクタが別々の発光波長を反射する、ことを特徴とする請求項１から５のいずれか１項に記載の基板（１）。
【請求項７】
前記バッファ層（４）もしくは前記副層（４ａ、４ｂ、４ｃ）の１つまたは複数が、１０−１０／ｃｍ２より高い欠陥または転位密度を有することを特徴とする請求項１から６のいずれか１項に記載の基板（１）。
【請求項８】
前記バルク層（３）が、Ｓｉ（１００）またはＳｉ（１１１）であることを特徴とする請求項１から７のいずれか１項に記載の基板（１）。
【請求項９】
前記バッファ層（４）または前記少なくとも最も外側の副層（４ｃ）が、前記バルク層（３）とは異なる配向を有するか、または、前記バッファ層（４）もしくは前記副層が、前記バルク層（３）の配向を維持することを特徴とする請求項１から８のいずれか１項に記載の基板（１）。
【請求項１０】
５０ｋｍ−１未満、好ましくは４０ｋｍ−１未満、より好ましくは３０ｋｍ−１未満、更に好ましくは２０ｋｍ−１未満のウェーハ曲率を示すことを特徴とする請求項１から９のいずれか１項に記載の基板（１）。
【請求項１１】
請求項１から１０のいずれか１項に記載の基板および前記バッファ層（４）の前記表面（５）上に成長させられた１つまたは複数のナノワイヤ（２）を備えることを特徴とする構造。
【請求項１２】
前記構造が、前記バッファ層（４）、または前記１つまたは複数の副層（４ａ、４ｂ、４ｃ）のうちの少なくとも１つによって形成される、共通の横方向コンタクトによって電気的に接続される複数のナノワイヤ（１）を含むことを特徴とする請求項１１の構造。
【請求項１３】
各ナノ構造（２）が、使用に際して光を発生させるための活性領域の形成に寄与し、
各ナノ構造が、ナノワイヤーコアおよびシェルを含み、前記コアのみが、シェルが設けられるナノワイヤーなどのナノ構造を構成し、前記シェルが典型的なナノワイヤーシェルよりも大きな寸法を有し、
前記ナノ構造が、複数のファセットを含み、
前記シェルが、ピラミッドファセットおよび／または垂直側壁ファセットを示し、
個別のデバイスそれぞれが、頂部または先端部でより狭く底部でより広いピラミッド形状と先端部および底部がほぼ同一の幅である柱状形状との範囲にある形状から選択される形状を有し、
個別のデバイスそれぞれが、前記デバイスの長軸に垂直な円形、六角形または他の多角形の断面を有し、
個別のデバイスそれぞれの前記底部の幅が、１００ｎｍから最大５μｍ、好ましくは１００ｎｍから１ミクロン未満の範囲にあり、前記高さが、数１００ｎｍから１０μｍの範囲にあることを特徴とする請求項１１または１２に記載のナノワイヤーＬＥＤ構造。
【請求項１４】
同一方向に配向された多数のナノワイヤーを備える構造を形成するための方法（１）であって、前記方法が、
バルク層（３）を準備するステップと、
前記バルク層（３）上に２μｍ未満の厚さを有するバッファ層（４）を堆積するステップと、
前記バッファ層（４）上に１つまたは複数のナノワイヤー（２）を成長させるステップとを含むことを特徴とする方法。
【請求項１５】
前記バッファ層が、非エピタキシャル材料を使用して成長させられ、
前記バッファ層の成長において使用される前記非エピタキシャル材料が、成長温度に耐えることができる材料、好ましくは前記デバイスの熱的特性を改善する配向特性を有する材料、例えば、ＡｌＮ、ＴｉＮ、グラフェンおよび他の多結晶または部分的に非晶質のカーボン膜の中から選択されることを特徴とする請求項１４に記載の方法。
【手続補正書】
【提出日】平成26年7月11日(2014.7.11)
【手続補正１】
【補正対象書類名】特許請求の範囲
【補正対象項目名】全文
【補正方法】変更
【補正の内容】
【特許請求の範囲】
【請求項１】
個体における標的組織の画像誘導放射線治療における使用のための、Ｘ線イメージングにより検出可能な固体形態の化合物を含むナノサイズ粒子を含む組成物であって、前記標的組織が望ましくない増殖をする細胞を含み；
前記ナノサイズ粒子が、１０〜１５０ｎｍの個数平均径を有し、
前記画像誘導放射線治療が、以下のステップ：
ａ）前記組成物を前記個体に投与し；
ｂ）前記標的組織のＸ線画像を記録して、前記標的組織の定義を得て；そして、
ｃ）ステップｂ）において得られた前記標的組織の定義を用いて、前記標的組織に放射線治療を方向付ける、
を含み、ここで、
ステップａ）における前記組成物の投与が、ステップｂ）におけるＸ線画像の記録を、ステップａ）の後、少なくとも３日間可能とし；そして
ステップｂ）及びｃ）が、連続的又は同時に実施される、組成物。
【請求項２】
前記ナノサイズ粒子が、少なくとも１時間の循環半減期を有する、請求項１に記載の組成物。
【請求項３】
ステップａ）における前記投与が、血液、リンパ又は脳脊髄液中の循環を可能とする態様で行なわれる、請求項１又は２に記載の組成物。
【請求項４】
前記ナノサイズ粒子が、ターゲティング部分を含んでなる、請求項１〜３のいずれか１項に記載の組成物。
【請求項５】
前記ナノサイズ粒子が、以下の：リポソーム、ポリマーソーム、デンドリマー、水溶性架橋ポリマー、ハイドロコロイド、ミセル、被覆金属粒子及び、コアが固体塩である被覆粒子、から成る群から選ばれる、請求項１〜４のいずれか１項に記載の組成物。
【請求項６】
前記ナノサイズ粒子がリポソームである、請求項１〜５のいずれか１項に記載の組成物。
【請求項７】
前記ナノサイズ粒子が、コアが固体金属及び／又は固体金属塩を含む被覆粒子である、請求項１〜５のいずれか１項に記載の組成物。
【請求項８】
前記ナノサイズ粒子が、ポリエチレングリコール（ＰＥＧ）を含むシェル又は表面被覆を含む、請求項１〜７のいずれか１項に記載の組成物。
【請求項９】
前記検出可能な化合物が、水を除いた前記ナノサイズ粒子の少なくとも１０重量パーセントである、請求項１〜８のいずれか１項に記載の組成物。
【請求項１０】
前記検出可能な化合物が、固体金属又は固体金属塩の形態であり、かつ、以下の：金（Ａｕ）、ビスマス（Ｂｉ）、鉄（Ｆｅ）、バリウム（Ｂａ）、カルシウム（Ｃａ）、及びマグネシウム（Ｍｇ）から成る群から選ばれる一種以上の同位体を含む、請求項１〜９のいずれか１項に記載の組成物。
【請求項１１】
前記検出可能な化合物が、金（Ａｕ）又はビスマス（Ｂｉ）、例えば、金（Ａｕ）、である、請求項１〜１０のいずれか１項に記載の組成物。
【請求項１２】
前記標的組織が、腫瘍細胞を含む、請求項１〜１１のいずれか１項に記載の組成物。
【請求項１３】
前記ナノサイズ粒子が、少なくとも８時間の循環半減期を有する、請求項１〜１２のいずれか１項に記載の組成物。
【請求項１４】
ステップｂ）が、三次元又は多次元座標データセットをもたらし、ここで、第四の次元が時間であり、前記データセットが前記標的組織の定義及び治療ガイダンスのために使用される、請求項１〜１３のいずれか１項に記載の組成物。
【請求項１５】
前記Ｘ線イメージングが、コンピュータ断層撮影（ＣＴ）イメージングである、請求項１〜１４のいずれか１項に記載の組成物。
【請求項１６】
前記ナノサイズ粒子が、一種以上のイメージングモダリティ、例えば、磁気共鳴イメージング（ＭＲＩ）、ポジトロン放出断層撮影（ＰＥＴ）イメージング、単光子放出コンピュータ断層撮影（ＳＰＥＣＴ）イメージング又は核シンチグラフィイメージング、のための放射性又は常磁性化合物を含む、請求項１〜１５のいずれか１項に記載の組成物。
【請求項１７】
前記画像誘導放射線治療が、さらに、以下の：磁気共鳴イメージング（ＭＲＩ）、ポジトロン放出断層撮影（ＰＥＴ）イメージング、単光子放出コンピュータ断層撮影（ＳＰＥＣＴ）イメージング、核シンチグラフィイメージング、超音波検査イメージング、超音波イメージング、近赤外イメージング又は蛍光イメージングから成る群から選ばれる、一種以上のイメージングモダリティによるイメージングステップを含む、請求項１５に記載の組成物。
【請求項１８】
Ｘ線画像の記録を少なくとも３日間可能とする、Ｘ線画像記録における使用のためのナノサイズ粒子であって、
前記粒子が、１０〜１５０ｎｍの個数平均径を有し、
以下の：
（ｉ）脂質単層及び／又は脂質二重層などの脂質層を含む、シェル又は表面被覆；及び
（ｉｉ）金（Ａｕ）及びビスマス（Ｂｉ）から成る群から選ばれるコンピュータ断層撮影（ＣＴ）イメージングのための造影剤を含むコア、ここで、上記造影剤は、固体形態である、
を含む、ナノサイズ粒子。
【請求項１９】
前記ナノサイズ粒子が請求項１８に定義されているとおりである、請求項１〜１７のいずれか１項に記載の組成物。
【請求項２０】
治療を必要とする個体における、細胞の望ましくない増殖を伴う状態又は疾患の治療方法であって、以下のステップ：
ａ）１０〜１５０ｎｍの個数平均径を有し、そしてコンピュータ断層撮影（ＣＴ）イメージングによって検出可能な化合物を含むナノサイズ粒子を提供し；
ｂ）前記ナノサイズ粒子を前記個体に投与し；
ｃ）前記望ましくない増殖をする細胞を含む標的組織のコンピュータ断層撮影（ＣＴ）画像を記録し、それによって、前記望ましくない増殖をする細胞の正確な位置及び正常組織からの区別を与える前記標的組織の定義を得て、
ここで、ステップｂ）における前記組成物の投与が、ステップｃ）におけるＸ線画像の記録を、ステップｂ）の後、少なくとも３日間可能とし；そして
ｄ）ステップｃ）において得られた前記標的組織の定義を用いて、放射線治療を前記望ましくない増殖細胞に方向付け、かつ、正常組織を保護する、
を含み、
ここで、前記化合物が固体形態であり、さらにここで、画像記録及び放射線治療の実行が統合され、そして、連続的又は同時に実施される、前記方法。
【手続補正書】
【提出日】平成26年3月28日(2014.3.28)
【手続補正１】
【補正対象書類名】特許請求の範囲
【補正対象項目名】全文
【補正方法】変更
【補正の内容】
【特許請求の範囲】
【請求項１】
肝臓障害および関連疾患、肺障害および関連疾患、糖尿病合併症および心血管疾患の予防または処置に用いられる、式（Ｉ）の化合物、それらの誘導体、類似体、互変異性型、立体異性体、多形、水和物、溶媒和物、薬学的に許容される塩、代謝産物またはプロドラッグを含む医薬組成物。
【化１】
2013532682.tif 000001
［式中、−−−−は任意選択の結合を表し；Ｗは、ＯまたはＳを表し；Ｙは、ＮＲ4、ＳまたはＯを表し；ここでＲ4は、水素、アルキル、アルケニルおよびアリールから選択される置換型または非置換型の基、対イオンまたは−ＣＨ2ＣＯＲ6を表し；ここでＲ6は、−ＯＨ、−ＮＨ2、−ＮＨＯＨまたはＯＲ18を表し；ここでＲ18はアルキル基であり；Ｚは、−ＣＲ5またはＳを表し；Ｒ1は、Ｏ、Ｓを表すか、あるいはＲ5と一緒に、炭素原子またはＯ、ＳもしくはＮから選択される１つまたは２つのヘテロ原子を含む縮合５員または６員の芳香族環系もしくは芳香族複素環系を形成し；Ｒ2、Ｒ3およびＲ5は、独立して水素、ハロゲン、ヒドロキシ、ニトロ、シアノ、ホルミル、アミノ、アルキル、ハロアルキルまたはアルコキシを表し；
Ｒは、ＵまたはＶのいずれかを表し；ここでＵは、水素、ハロゲン、ヒドロキシ、ニトロ、シアノ、ホルミル、アミノ、−ＣＯＲ10、または直鎖状もしくは分枝状の（Ｃ1−Ｃ6）アルキル基および（Ｃ1−Ｃ6）アルコキシ基から選択される置換型もしくは非置換型の基を表し；Ｒ10は、−ＯＲ11または−ＮＲ12Ｒ13を表し；ここでＲ11は、水素、アルキル、アルケニル、アリール、アラルキルおよびヘテロアリールから選択される置換型もしくは非置換型の基、または対イオンを表し；Ｒ12およびＲ13は、独立して水素、アルキル、アルケニル、アリールおよびヘテロアリールから選択される置換型もしくは非置換型の基を表し；またはＲ12およびＲ13はヘテロ脂肪族または芳香族複素環を一緒に形成し；
Ｖは；
【化２】
2013532682.tif 000002
を表し、Ｒ7は−ＯＲ14を表し、ここでＲ14は、水素、アルキル、アルケニル、アリール、アラルキルおよびヘテロアリールから選択される置換型もしくは非置換型の基、または対イオン；または−ＮＲ15Ｒ16を表し；ここでＲ15およびＲ16は、独立して水素、またはアルキル、アルケニル、アリールおよびヘテロアリールから選択される置換型もしくは非置換型の基を表し；Ｒ8およびＲ9は、独立して水素、アルキル、アルケニル、アリールおよびヘテロアリールから選択される置換型もしくは非置換型の基、または−ＣＯＲ17を表し；ここでＲ17は、アルキル、アリール、ヘテロアリール、アルケニル、アルケニルオキシ、アリールオキシ、アルコキシおよびアラルコキシから選択される置換型または非置換型の基を表し；
ｐおよびｑは、１〜３から選択される整数である］
【請求項２】
式（Ｉ）の化合物が、
ｉ．メチル（２Ｓ）−２−アミノ−３−（４−｛４−［（２，４−ジオキソ−１，３−チアゾリジン−５−イル）メチル］フェノキシ｝フェニル）プロパノエートまたはその塩；
ｉｉ．（２Ｓ）−２−アミノ−３−（４−｛４−［（２，４−ジオキソ−１，３−チアゾリジン−５−イル）メチル］フェノキシ｝フェニル）プロパン酸またはその塩、および  ｉｉｉ．（４−｛４−［（２，４−ジオキソ−１，３−チアゾリジン−５−イル）メチル］フェノキシ｝フェニル）酢酸またはその塩
から選択される、請求項１に記載の医薬組成物。
【請求項３】
前記塩が、塩酸塩、臭化水素酸塩、ナトリウム、カリウムまたはマグネシウム塩から選択される、請求項２に記載の医薬組成物。
【請求項４】
式（Ｉ）の化合物が、メチル（２Ｓ）−２−アミノ−３−（４−｛４−［（２，４−ジオキソ−１，３−チアゾリジン−５−イル）メチル］フェノキシ｝フェニル）プロパノエートの塩酸塩である、請求項１に記載の医薬組成物。
【請求項５】
式（Ｉ）の化合物が、（２Ｓ）−２−アミノ−３−（４−｛４−［（２，４−ジオキソ−１，３−チアゾリジン−５−イル）メチル］フェノキシ｝フェニル）プロパン酸の塩酸塩である、請求項１に記載の医薬組成物。
【請求項６】
式（Ｉ）の化合物が、（４−｛４−［（２，４−ジオキソ−１，３−チアゾリジン−５−イル）メチル］フェノキシ｝フェニル）酢酸である、請求項１に記載の医薬組成物。
【請求項７】
式（Ｉ）の化合物が、（４−｛４−［（２，４−ジオキソ−１，３−チアゾリジン−５−イル）メチル］フェノキシ｝フェニル）酢酸の二ナトリウム塩である、請求項１に記載の医薬組成物。
【請求項８】
肝臓障害が非アルコール性脂肪肝疾患（ＮＡＦＬＤ）、非アルコール性脂肪性肝炎（ＮＡＳＨ）、肝線維症、肝硬変およびアルコール性脂肪性肝臓症から選択される、請求項１に記載の医薬組成物。
【請求項９】
肝臓障害がＮＡＦＬＤおよびＮＡＳＨである、請求項１に記載の医薬組成物。
【請求項１０】
ＮＡＦＬＤおよびＮＡＳＨを処置するための、請求項１に記載の医薬組成物。
【請求項１１】
糖尿病合併症が、虚血性心疾患、脳血管疾患および末梢血管疾患から選択されるマクロ合併症または白内障、網膜症、腎症、神経障害、黄斑症および緑内障から選択されるミクロ合併症である、請求項１に記載の医薬組成物。
【請求項１２】
心血管疾患が、アテローム硬化症、再狭窄、高血圧、血管けいれんおよび心肥大から選択される、請求項１に記載の医薬組成物。
【請求項１３】
関連疾患が、乾癬、強皮症、肺転移、肺線維症、多嚢胞卵巣症候群および閉塞性無呼吸から選択される、請求項１に記載の医薬組成物。
【請求項１４】
糖尿病合併症が、糖尿病網膜症、糖尿病腎症、糖尿病神経障害および糖尿病白内障から選択される、請求項１に記載の医薬組成物。
【請求項１５】
血漿または肝臓のトリグリセリドレベルを低減するための、請求項１に記載の医薬組成物。
【請求項１６】
血漿のグルコースレベルを低減するための、請求項１に記載の医薬組成物。
【請求項１７】
ＴＮＦ−α、ＩＬ−６、ｉＮＯＳ、アルドースレダクターゼおよびマトリックスメタロプロテイナーゼ２を阻害するための、請求項１に記載の医薬組成物。
【手続補正書】
【提出日】平成26年7月18日(2014.7.18)
【手続補正１】
【補正対象書類名】特許請求の範囲
【補正対象項目名】全文
【補正方法】変更
【補正の内容】
【特許請求の範囲】
【請求項１】
以下の式の化合物
【化１】
2013532687.tif 000001
またはその薬学的に許容可能な塩。
【請求項２】
前記塩が、塩酸塩、重硫酸塩、またはメタンスルホン酸塩である、請求項１に記載の塩。
【請求項３】
請求項１または請求項２に記載の化合物または塩と、１種以上の薬学的に許容可能な担体または希釈剤とを含む、医薬組成物。
【手続補正書】
【提出日】平成26年6月13日(2014.6.13)
【手続補正１】
【補正対象書類名】特許請求の範囲
【補正対象項目名】全文
【補正方法】変更
【補正の内容】
【特許請求の範囲】
【請求項１】
高度で電気エネルギーを発生するための装置であって、実質的に地上レベルの位置を上昇位置のプラットフォームに接続するテザーを備え、前記テザーが、プラットフォームの発電機に結合された導管を備え、前記導管が、前記実質的に地上レベルの位置から前記上昇位置への燃料流体の流れを可能にするように配置され、前記発電機が、前記燃料流体内のエネルギーを前記上昇位置の電気エネルギーに変換するように動作可能であり、
前記上昇位置が、３００ｍ〜５，０００ｍ未満又は５，０００ｍ〜３０，０００ｍ、好ましくは１０，０００ｍ〜２５，０００ｍ、より好ましくは１５，０００ｍ〜２５，０００ｍの高度であり、
前記装置が、前記上昇位置に１つ以上の気球又は飛行船を備える、装置。
【請求項２】
前記導管が、０．００００２〜０．００００５ｋｇ／ｓ未満又は０．００００５〜３．０ｋｇ／ｓ、好ましくは０．０００１〜１．０ｋｇ／ｓの流量の燃料流体を収容する、請求項１に記載の装置。
【請求項３】
前記燃料流体が、少なくとも９０重量％、より好ましくは少なくとも９９重量％、最も好ましくは少なくとも９９．９重量％の水素又は炭化水素流体、あるいはさらには少なくとも９９．９９重量％の水素を含む、請求項１または請求項２に記載の装置。
【請求項４】
前記発電機が燃料電池を備える、請求項１〜３のいずれか一項に記載の装置。
【請求項５】
前記発電機が、０．５〜３ｋＷ未満、又は３〜６０，０００ｋＷ、より好ましくは１００〜２０，０００ｋＷの電力を生成できる、請求項１〜４のいずれか一項に記載の装置。
【請求項６】
空気が前縁から後縁に前記テザーを通過して流れるとき、前記テザーが、前記前縁からの弦長の２５％未満、より好ましくは前記前縁からの前記弦長の１５〜２４％の前記テザーの質量中心を有する断面を有する、請求項１〜５のいずれか一項に記載の装置。
【請求項７】
前記補助翼及びエアロフォイルが、前記テザーに取り付けられたグライダーによって提供される、請求項１〜６に記載の装置。
【請求項８】
前記プラットフォームが、ジャイロスコープ式及び／又は重力式安定化手段を備える、請求項１〜７のいずれか一項に記載の装置。
【請求項９】
高度における情報サービスを提供するための装置であって、上昇位置に情報サービス装置を備えるプラットフォームを備え、前記プラットフォームが実質的に地上レベルの位置に繋がれ、前記テザーが、前記実質的に地上レベルの位置の近傍の基地局に前記情報サービス装置を接続する１つ以上の光ファイバーを備え、前記基地局が電気信号によって光を変調するための手段を備え、前記情報サービス装置が光−電子変換手段及び少なくとも１つのアンテナを備え、前記装置が、前記信号が前記アンテナによって電子形態に変換されかつ送信される前記情報サービス装置に、前記変調された光を前記光ファイバーケーブルに沿って送信するように動作可能である装置。
【請求項１０】
前記プラットフォームが、データを受信及び／又は送信するための電磁又は光トランシーバ手段を備える、請求項１〜９のいずれか一項に記載の装置。
【請求項１１】
電気通信ネットワーク用のバックホールリンクの部分を形成する、請求項１０に記載の装置。
【手続補正書】
【提出日】平成26年6月5日(2014.6.5)
【手続補正１】
【補正対象書類名】特許請求の範囲
【補正対象項目名】全文
【補正方法】変更
【補正の内容】
【特許請求の範囲】
【請求項１】
カラム（１２）内の中実裏板（１４；２５；４９；５９；６９；７９；８２；９２；１１２）と充填ベッド（１５；３５）の間に略円錐形の分配流路（１３；２４）を画成する、カラム（１２）用の流体分配器（１１；２１；４０；５０；６０；７０；８０；１０１；１１０）であって、当該流体分配器（１１；２１；１０１）が、上記分配流路（１３；２４）の容積を実質的に満たす２枚以上の円形及び／又は環状の流体透過性多孔質ディスク（２２、２３；３１〜３４；４１〜４４；６１〜６３；７１〜７３；８１；９１；１１４）を備える、流体分配器。
【請求項２】
当該流体分配器（２１）が、充填ベッド（１５；３５）と直面した多孔質リテーナディスク（１８；２２；３４；４４）と、分配流路（１３；２４）の多孔質リテーナディスク（１８；２２；３４；４４）と中実裏板（１４；２５；４９）の間の容積部分を満たす１枚以上の多孔質分配ディスク（２３；３１〜３３；４１〜４３；６１〜６３；７１〜７３；８１；９１）とを備える、請求項１記載の流体分配器。
【請求項３】
各々の多孔質分配ディスク（２３；３１〜３３；４１〜４３；６１〜６３；７１〜７３；８１；９１）が三次元連続細孔構造を有する、請求項２記載の流体分配器。
【請求項４】
第１の円形又は環状多孔質ディスク（３１；４１；７１）が、第２の環状多孔質ディスク（３２；４２；７２）の内側に同心に嵌め込まれる、請求項１乃至請求項３のいずれか１項記載の流体分配器。
【請求項５】
第２の多孔質ディスク（３２；４２；７２）が、第１の多孔質ディスク（３１；４１；７１）よりも薄い厚さを有する、請求項４記載の流体分配器。
【請求項６】
第２の環状多孔質ディスクが、第３の環状多孔質ディスク（３３；４３）の内側に同心に嵌め込まれる、請求項４又は請求項５記載の流体分配器。
【請求項７】
２以上の内部同心環状凹部（４６〜４８，５６〜５８，６６〜６８；７８；９４；１１３）の階段状パターンを有する円形の中実裏板（４９；５９；６９；８２；１１２）と、環状凹部に取り付けられた２枚以上の円形及び／又は環状多孔質ディスク（４１〜４３；６１〜６３；７１〜７３；８１；９１；１１４）とを備える、請求項１乃至請求項６のいずれか１項記載の流体分配器。
【請求項８】
第１の円形又は環状多孔質ディスク（３１；４１；７１）が内側の環状凹部（４６）に取り付けられ、第２の環状多孔質ディスク（３２；４２；７２）が、外側の環状凹部（４７）に取り付けられて第１の円形又は環状多孔質ディスク（３１；４１；７１）の外側に同心に嵌め込まれ、第２の環状多孔質ディスク（３２；４２；７２）が任意には第１の円形又は環状多孔質ディスク（３１；４１；７１）よりも薄い厚さを有する、請求項７記載の流体分配器。
【請求項９】
第１の円形又は環状多孔質ディスク（６１）が内側の環状凹部（６６）に取り付けられ、第２の円形又は環状多孔質ディスク（６２）が外側の環状凹部（６７）に取り付けられて第１の円形又は環状多孔質ディスク（６１）と平面当接する、請求項７記載の流体分配器。
【請求項１０】
中実裏板（９２）の環状凹部（９４）の縁部（９３）が、各凹部平面に対して鋭角をなす、請求項７又は請求項８記載の流体分配器。
【手続補正書】
【提出日】平成25年12月18日(2013.12.18)
【手続補正１】
【補正対象書類名】明細書
【補正対象項目名】０００１
【補正方法】変更
【補正の内容】
【０００１】
別段本明細書で示されない限り、この節で述べられる手法は、本出願の特許請求の範囲に対する従来技術ではなく、この節に含まれていることによって従来技術であると認められるものではない。
【先行技術文献】
【特許文献】
【特許文献１】米国特許公開第2010/0195445号
【特許文献２】米国特許公開第2002/0196187号
【特許文献３】特開平03-165287号公報
【特許文献４】特開2007-232737号公報
【特許文献５】特開2010-239220号公報
【手続補正書】
【提出日】平成26年4月7日(2014.4.7)
【手続補正１】
【補正対象書類名】特許請求の範囲
【補正対象項目名】全文
【補正方法】変更
【補正の内容】
【特許請求の範囲】
【請求項１】
基板と、
前記基板上に堆積された結合層と、
前記結合層上に堆積されたポリマフィルムと
を含む軸受面を含む、空気軸受。
【請求項２】
前記基板は、金属、ガラスおよびセラミックからなる群から選択される材料から成る、請求項１に記載の空気軸受。
【請求項３】
前記結合層は、ビスフェノールＡのジグリシジルエーテル、１，４−ブタンジオールジグリシジルエーテルおよび２，２，４−トリメチルヘキサメチレン−１，６−ジアミンを含む、請求項１に記載の空気軸受。
【請求項４】
前記ポリマフィルムは、ポリオキシジフェニレンピロメリットイミドを含む、請求項１に記載の空気軸受。
【請求項５】
前記ポリマフィルムは、少なくとも厚さ２５ミクロンである、請求項１に記載の空気軸受。
【請求項６】
請求項１に記載の空気軸受を含む、リソグラフィ装置。
【請求項７】
真空チャックの平面上にポリマフィルムを配置することと、
前記ポリマフィルムに真空を適用することと、
前記ポリマフィルムの表面上に液状エポキシを配置することと、
前記ポリマフィルムを基板と接触させずに前記基板を前記液状エポキシ上に配置することと、
前記基板を前記液状エポキシ上に解放することと、
重りを前記基板上に配置することと、
前記液状エポキシを硬化させることと、
前記重りを除去することと、
前記ポリマフィルムを前記真空チャックから剥離することと
を含む、空気軸受の軸受面を製造する方法。
【請求項８】
前記基板の外形と合うように前記ポリマフィルムをトリミングすることをさらに含む、請求項７に記載の方法。
【請求項９】
堆積させるステップの前に重力と実質的に垂直に前記真空チャックを位置決めすることをさらに含む、請求項７に記載の方法。
【請求項１０】
前記適用するステップは、前記真空チャックの前記平面に適合するように前記ポリマフィルムを引く、請求項７に記載の方法。
【請求項１１】
堆積させるステップの前に前記エポキシを予備混合および脱気することをさらに含む、請求項７に記載の方法。
【請求項１２】
前記液状エポキシを堆積させるステップは、前記エポキシを前記基板の形状に依存する形状で堆積させることを含む、請求項７に記載の方法。
【請求項１３】
前記基板を配置することは、前記基板を前記重力と実質的に垂直に維持することを含む、請求項７に記載の方法。
【請求項１４】
前記基板が前記ポリマフィルムの前記表面から約０〜１ミリメートルの範囲にあった場合、前記基板は解放される、請求項７に記載の方法。
【請求項１５】
エポキシによって基板をコーティングすることと、
ポリマフィルムを前記エポキシ上に広げることと、
前記エポキシによって前記基板に固定された前記ポリマフィルムを光学平面上に置くことと、
余分のエポキシを搾り出すために前記基板に力を加えることと、
前記ポリマフィルムを前記光学平面から引き離すことと
を含む、空気軸受の軸受面を製造する方法。